(57)【要約】【課題】椅子に座った体位を十分に取ることができる寝台における床部の揺動構造を提供する点にある。【解決手段】支持フレーム４に床部１１を備え、床部１１を構成する背部床７を後方側の水平軸芯Ｘ１周りで起伏自在に構成し、床部を構成する膝部床９の後端部に脚部床１０の前端部を枢支連結し、膝部床９を前方側の水平軸芯Ｘ２周りで起伏自在に構成し、支持フレーム４の後端側に脚部床１０を支持する支持体１７をそれの位置が前後方向で変更可能に備えさせ、水平姿勢の脚部床１０を支持するための補助用支持体２３が取り付けられたフレーム体Ｆの一端を膝部床９に枢支連結し、膝部床９の起立側への揺動時に、後下がり傾斜姿勢となった脚部床１０を支持体１７でのみ支持させた。【選択図】  図４
2005006729.tif 000002
【特許請求の範囲】
【請求項１】
支持フレームの上面側に３つ以上の床からなる床部を備え、前記床部を構成する床のうちの前方側に位置する背部床を後方側の水平軸芯周りで起伏自在に構成し、前記床部を構成する床のうちの後方側に位置し、かつ、前記背部床側に位置する膝部床の後端部に脚部床の前端部を枢支連結し、前記膝部床を前方側の水平軸芯周りで起伏自在に構成し、前記支持フレームの後端側に前記脚部床を支持する支持体をそれの位置が前後方向で変更可能に備えさせ、前記水平姿勢の脚部床を前記支持体にて支持した位置とは前後方向で異なる位置で支持するための補助用支持体が取り付けられた前後方向のフレーム体の一端を前記膝部床に枢支連結し、前記膝部床を起立側へ揺動操作することにより、前記補助用支持体を前方側へ移動させ、かつ、後端が下方に位置する後下がり傾斜姿勢となった前記脚部床を前記前方側へ移動させた支持体にて支持することを特徴とする寝台における床部の揺動構造。
【請求項２】
前記支持フレームが、左右一対のフレーム部からなるメインフレームと、このメインフレームの左右フレーム部の後側横側面にブラケットを介してスライド自在に支持され、かつ、前記支持体がそれぞれ取り付けられた左右一対のフレーム部からなる後側フレームとからなり、前記メインフレームに対して後側フレームを前後方向にスライドさせた位置で前記ブラケットに形成の貫通孔から該後側フレームに形成の被係止部に係止して該後側フレームを該メインフレームに固定するための係止部材を揺動自在に設けてなる請求項１記載の寝台における床部の揺動構造。
【請求項３】
前記支持体及び補助用支持体がゴム製又は合成樹脂製の遊転ローラからなる請求項１又は２記載の寝台における床部の揺動構造。
【発明の詳細な説明】
【０００１】
【発明の属する技術分野】
本発明は、支持フレームの上面側に背部床、膝部床、脚部床の少なくとも３つ以上の床からなる床部を備えた寝台における床部の揺動構造に関する。
【０００２】
【従来の技術】
上記寝台においては、例えば食事を行う場合に、椅子に座った体位になるように、水平姿勢の背部床を後方側の水平軸芯周りで起立側へ揺動させると共に水平姿勢の膝部床を前方側の水平軸芯周りで起立側へ揺動させて膝部床の後端に枢支連結されている脚部床をそれの後端がお尻よりも下方に位置する後下がり傾斜姿勢に姿勢変更させるようにしている。このように姿勢変更することによって、お腹への圧迫を無くすことで、物を飲み下すような燕下障害の方に配慮した寝台に構成することができるようにしている。
そして、前記脚部床を傾斜姿勢にするための構成が次のようになっていた。
つまり、支持フレームの後端にスライド移動自在に設けた後側フレームの後端に左右一対の遊転ローラからなる支持部を設けると共に、前後方向両端のそれぞれに遊転ローラが取り付けられた前後方向に長い支持アームの左右一対をそれの前後方向ほぼ中央部で水平軸芯周りで揺動自在に支持フレームの後端側上面に設けて、膝部床と脚部床とが側面視においてほぼへの字状に姿勢変更したときに、膝部床の下面を支持アームの前端に取り付けた遊転ローラが接当支持し、かつ、脚部床の下面を該支持アームの後端に取り付けた遊転ローラが接当支持すると同時に、後側フレームの後端に取り付けた遊転ローラが脚部床の下面を接当支持することにより、膝部床及び脚部床をへの字姿勢に維持することができるようにしている（例えば特許文献１参照）。
【０００３】
【特許文献１】
特開２０００−１２６２４５号公報（図３参照）
【０００４】
上記特許文献１によれば、膝部床と脚部床を前後方向において合計３箇所で支持する構成であるため、膝部床及び脚部床がどのような傾斜姿勢でもこれら２つの床部を常に３箇所で支持することが難しい。つまり、膝部床を大きく起立側へ操作すると、シーソー式に構成された支持アームの前端の遊転ローラが膝部床の下面から離間してしまうことから、膝部床を大きく起立側へ操作することができない。このため、脚部床の下端をお尻の上下位置から大きく下方に位置させることができず、椅子に座った体位を十分に取ることができないものであった。
【０００５】
【発明が解決しようとする課題】
本発明が前述の状況に鑑み、解決しようとするところは、椅子に座った体位を十分に取ることができる寝台における床部の揺動構造を提供する点にある。
【０００６】
【課題を解決するための手段】
本発明は、前述の課題解決のために、支持フレームの上面側に３つ以上の床からなる床部を備え、前記床部を構成する床のうちの前方側に位置する背部床を後方側の水平軸芯周りで起伏自在に構成し、前記床部を構成する床のうちの後方側に位置し、かつ、前記背部床側に位置する膝部床の後端部に脚部床の前端部を枢支連結し、前記膝部床を前方側の水平軸芯周りで起伏自在に構成し、前記支持フレームの後端側に前記脚部床を支持する支持体をそれの位置が前後方向で変更可能に備えさせ、前記水平姿勢の脚部床を前記支持体にて支持した位置とは前後方向で異なる位置で支持するための補助用支持体が取り付けられた前後方向のフレーム体の一端を前記膝部床に枢支連結し、前記膝部床を起立側へ揺動操作することにより、前記補助用支持体を前方側へ移動させ、かつ、後端が下方に位置する後下がり傾斜姿勢となった前記脚部床を前記後方側へ移動させた支持体にて支持することを特徴としている。
従って、椅子に座った体位を取りたい場合には、脚部床を支持する支持体を前方側に移動させてから、水平姿勢の背部床を起立側へ揺動させるとともに、水平姿勢の膝部床を起立側へ大きく揺動させることによって、補助用支持体が前方側へ移動して補助用支持体による脚部床の下面の接当支持が解除されることにより前記補助用支持体に無関係に脚部床を大きく後下がり傾斜姿勢に姿勢変更させることができながらも、支持体にて脚部床の下面を確実に接当支持することができる。このように背部床を起立側へ姿勢変更することによって、背中を起こし、膝部床を大きく起立側へ大きく揺動させることで、太股を上げて膝を上昇させた状態で、膝から下の膨脛を大きく下方へ傾斜させて足をお尻よりも下方に位置させた状態、つまり椅子に座ったリラックス姿勢に体を姿勢変更することができるようにしている。尚、背部床、膝部床、脚部床が水平姿勢となる通常状態では、支持体とこれとは前後方向で異なる位置にて支持する補助用支持体の２箇所で脚部床を安定良く接当支持することができる。
【０００７】
前記支持フレームが、左右一対のフレーム部からなるメインフレームと、このメインフレームの左右フレーム部の後側横側面にブラケットを介してスライド自在に支持され、かつ、前記支持体がそれぞれ取り付けられた左右一対のフレーム部からなる後側フレームとからなり、前記メインフレームに対して後側フレームを前後方向にスライドさせた位置で前記ブラケットに形成の貫通孔から該後側フレームに形成の被係止部に係止して該後側フレームを該メインフレームに固定するための係止部材を揺動自在に設けている。
上記のようにメインフレームに対して前後方向に位置変更させた後側フレームを係止部材により係止固定する構成にすることによって、メインフレームと後側フレームとを貫通するピンとこのピンの抜け止めを行うクリップとにより固定するものに比べて、固定作業及び固定解除作業を容易迅速に行うことができ、例えば食事毎にメインフレームに対する後側フレームの固定を解除してから後側フレームを前側に移動させ、後側フレームを再度メインフレームに固定する作業を行うなど、頻繁に床部の姿勢変更を行う場合に特に有利になる。
【０００８】
前記支持体及び補助用支持体をゴム製又合成樹脂製の遊転ローラから構成することによって、支持体と床との接当による異音発生や磨滅による早期交換等を回避することができる。
【０００９】
【発明の実施の形態】
図１に、前後方向に長い寝台が示されており、この寝台は、前後端の４つの角部に接地部１（図１では左側の前後に位置する２つの接地部を示している）を備えさせた固定フレーム２と、この固定フレーム２に前後一対のリンク機構３，３を介して昇降自在に取り付けられた支持フレーム４と、前記支持フレーム４の前後端にそれぞれ立姿勢で取り付けられたヘッドボード５及びフットボード６と、前記支持フレーム４の上面に載置支持される床部１１とを備えている。ここでは、支持フレーム４を昇降可能なものを示しているが、昇降不能なものであってもよい。前記接地部１をキャスターから構成して移動可能な寝台に構成することもできる。
【００１０】
前記床１１は、前後方向前側（ヘッドボード５側）から後端側の水平軸芯Ｘ１周りで起伏自在に構成された背部床７、座部床８、前方側の水平軸芯Ｘ２周りで起伏自在に構成された膝部床９、膝部床９の後端に水平軸芯Ｘ３周りで揺動自在に枢支連結されると共に図４に示すように膝部床９の起立側への操作により前端側が上昇する膝部床９と共働して側面視においてほぼへの字状に姿勢変更可能に構成された脚部床１０の順に配置されているが、３つの床部又は５つ以上の床部で構成してもよい。尚、図１では、背部床７、座部床８、膝部床９、脚部床１０のそれぞれが、ほぼ矩形状のフレームの上に縦横に所定間隔をおいて配設された多数の金属製の棒状部材からなる網体を配設したものを示しているが、網体に代えて板状部材をフレームの上に備えさせて構成することもできるし、又、角筒状又は円筒状のパイプを多数フレーム上に備えさせて構成してもよい。
【００１１】
図１及び図３に示すように、前記支持フレーム４は、前後方向において中間部に位置すると共に左右一対の角筒状のフレーム部１２Ａ，１２Ｂを備えた中間フレーム１２と、前記中間フレーム１２の左右フレーム部１２Ａ，１２Ｂの前端部にそれぞれ突き合わせた状態で連結される左右一対の角筒状のフレーム部（前記左右フレーム１２Ａ，１２Ｂと断面形状及び断面の外形寸法がほぼ同一のもの）１３Ａ，１３Ｂ（図１では左側のフレームのみ示している）を備えた前側フレーム１３と、前記中間フレーム１２の左右フレーム部１２Ａ，１２Ｂの後端部の左右方向外側面にそれぞれ固定されたほぼＣ字状（筒状でもよい）のブラケット１５にスライド自在に内嵌支持された左右一対の角筒状のフレーム部（前記左右フレーム１２Ａ，１２Ｂと断面形状及び断面の外形寸法がほぼ同一のもの）１４Ａ，１４Ｂを備えた後側フレーム１４とから構成されている。前記各フレーム１２又は１３又は１４は、軽量化を図りながらも所定の強度を得るために筒状の金属製のものから構成する他、金属とほぼ同等の強度を有し、かつ、軽量化を図れるものであればどのような構成（材料も含む）であってもよい。前記中間フレーム１２と前側フレーム１３とを持って支持フレーム４を構成するメインフレームと称し、このメインフレームを単一の部材から構成してもよい。又、前記後側フレーム１４の左右フレーム部１４Ａ，１４Ｂを前記中間フレーム１２の左右フレーム部１２Ａ，１２Ｂの横側面に取り付けたブラケット１５を介してスライド自在に構成したが、後側フレーム１４の左右フレーム部１４Ａ，１４Ｂを中間フレーム１２の左右フレーム部１２Ａ，１２Ｂにスライド自在に内挿したり、外挿してブラケット１５を省略する構成であってもよい。
【００１２】
前記後側フレーム１４の左右フレーム部１４Ａ，１４Ｂの後端同士を角型の連結フレーム１６にて連結している。前記連結フレーム１６は、左右フレーム部１４Ａ，１４Ｂの左右方向内側面から内方側に突出する状態で設けられた角型（筒状）の端部フレーム部１６Ａ，１６Ｂと、これら端部フレーム部１６Ａ，１６Ｂの左右方向内端側上端同士を上面側で連結する角型（筒状）の中央フレーム部１６Ｃとからなっているが、他の構成であってもよい。又、前記端部フレーム部１６Ａ，１６Ｂの左右方向外方側の上端のそれぞれに、前記水平姿勢の脚部床１０の下面を接当支持するための支持部である遊転ローラ１７を取付部材１８を介して上方に突出する状態で取り付けている。前記遊転ローラ１７を２個設けているが、３個以上設けてもよいし、場合によっては１個のみ設けて実施してもよい。
【００１３】
図３、図５〜図７に示すように、前記後側フレーム１４の左右フレーム１４Ａ，１４Ｂそれぞれの前後方向２箇所（３箇所以上であってもよい）に、被係止部としての貫通孔１４ａ，１４ｂを形成し、これら貫通孔１４ａ，１４ｂに前記ブラケット１５の上壁面に形成された開口１５Ａを通して係止するための係止部１９Ａを上壁の左右方向ほぼ中央から真下に垂下した状態で備えさせた前後方向視ほぼ門型で金属製（同等の強度を有する樹脂製などであってもよい）の係止部材１９を、後側フレーム１４と中間フレーム１２とを跨る状態で該中間フレーム１２の内側の縦壁にリベット２８を介して水平軸芯Ｘ４周りで揺動自在に取り付けることによって、係止部材１９の強度そのものを高めることができる利点があるが、中間フレーム１２にのみ取り付ける小さな係止部材１９であってもよい。従って、係止部材１９の外側に位置する縦壁部から外方側の水平方向へ折り曲げ形成された操作片１９Ｂを掴んで上方に操作することによって、貫通孔１４ａ又は１４ｂへの係止部材１９Ａの係止を解除させることで、例えば後方位置に移動させた後側フレーム１４を前方側へ移動させてから、前記係止部材１９を下方に揺動操作することにより、その位置で後側フレーム１４を係止固定することができるようにしている。前記係止部材１９を係止側へ移動付勢するスプリングなどを設けて、係止解除してから後側フレーム１４を移動させるだけで係止部材１９をスプリングの付勢力により係止状態にするようにしてもよい。又、前記左右の係止部材１９，１９を連動連結させておき、一方の係止部材１９を操作することにより２つの係止部材１９，１９を同時に係止及び係止解除できるようにすれば、操作性において有利になる利点がある。図５及び図６に示す２７は、前記ブラケット１５に対する前記後側フレーム１４の左右フレーム１４Ａ，１４Ｂの前後方向におけるスライド位置を規制するために該後側フレーム１４の左右フレーム１４Ａ，１４Ｂの上端の前後２箇所に頭部が突出する状態で設けたリベットである。
【００１４】
図２及び図３に示すように、前記膝部床９の下面に付設の左右一対の支持部材９Ａ，９Ａに、そこから後方に向かう前後方向に長い角筒状の左右一対のフレーム２０，２０をそれの前端側において水平軸芯Ｘ５周りで揺動させることができるように枢支連結し、それらフレーム２０，２０の後端のそれぞれに、下方開放型のブラケット２１，２１を固定して、フレーム体Ｆを構成し、前記ブラケット２１，２１の後端部同士を貫通して連結する断面形状円形の連結用パイプ２２を設け、この連結用パイプ２２の左右両端のそれぞれに、水平姿勢の脚部床１０の下面を前記後側フレーム１４に取り付けた遊転ローラ１７，１７よりも前方側で接当支持する補助用支持体である遊転ローラ２３を取り付けている。前記フレーム２０，２０の下面を前記中間フレーム１２の左右フレーム部１２Ａ，１２Ｂの後端部の内側面から内方側に突設した支持部材２４，２４の上端面に取付部材２５，２５を介して取り付けられた支持体である遊転ローラ２６，２６に接当支持させている。前記支持体及び補助用支持体をゴム製又は合成樹脂製の遊転ローラ１７，２６から構成することによって、膝部床９の下面及び脚部床１０の下面との接当音の発生及び接触による磨滅を可及的に抑制することができる効果があるが、ゴム製や合成樹脂製の固定式の接当部から構成してもよいし、又、金属製の部材であっても表面に摩擦抵抗を小さくするためのコーティング剤等を塗布して実施することもできる。
【００１５】
前記構成の寝台は、図１に示すように全ての床部７，８，９，１０が水平姿勢となる通常の使用状態と、図４に示すように背部床７を９０°に近い所定角度起立姿勢にすると共に膝部床９と脚部床１０とが側面視においてほぼへの字姿勢にすることにより椅子に座った体位を取ることができるリラックス状態とに切り替えることができるようになっており、リラックス状態に切り替える場合について説明する。
まず、図２に示すように、脚部床１０を前端に設けた水平軸芯Ｘ３周りで起立側へ持ち上げ、図の９０°よりも少し膝部床９側へ傾斜させた状態にする。次に、係止部材１９，１９をそれぞれ上方側へ持ち上げて係止解除操作した後、ブラケット２１を上方（矢印Ａの方向）に持ち上げた状態にしてから、後側フレーム１４を前方（矢印Ｂの方向）にスライドさせ、前記係止部材１９，１９を下方側へ押し下げることにより図４に示すように後側フレーム１４を前方側位置にて固定する。前記脚部床１０を水平姿勢に戻してから背部床７を図示していない電動モータなどの電動力（手動力でもよい）を利用して起立側に揺動操作すると共に、膝部床９を図示していない電動モータなどの電動力（手動力でもよい）を利用して起立側にほぼ４５°揺動操作することにより膝部床９と脚部床１０とが側面視においてほぼへの字姿勢することにより、椅子に座ったリラックス姿勢を取ることができる。前記膝部床９を起立側に揺動させることにより、前記補助用支持体である遊転ローラ２３，２３が前方側へ移動されることから、後下がり傾斜姿勢となった脚部床１０の下面を後側フレーム１４の遊転ローラ１７，１７にて確実に接当支持することができるようにしている。尚、図４において後側フレーム１４を後方側にスライド位置させた状態で膝部床９を起立側へ揺動操作した場合の脚部床１０の姿勢を２点鎖線で示しており、脚部床１０の下端と座部床８の座面とがほぼ同一上下位置となる使用状態にすることもできる。図４では、膝部床を水平姿勢に対して約４５度起立させ、脚部床１０を水平姿勢に対して約３０度傾斜させた状態を示しているが、これらの角度に限定されるものではないが、脚部床９を大きく角度変更した方がより椅子に座ったリラックス姿勢に体を姿勢変更させることができる。
【００１６】
【発明の効果】
請求項１の発明によれば、膝部床の起立側へ揺動に連動させて脚部床に対して支持しない位置まで移動させることができながらも、前方側に移動させた支持体にて脚部床の下面を確実に接当支持させることができることから、膝部床を起立側へ大きく姿勢変更させることで、後下がり傾斜姿勢となった脚部床を支持体にて良好に接当支持することができ、良好かつ快適に椅子に座ったリラックス姿勢に体を十分に姿勢変更することができる寝台における床部の揺動構造を提供することができる。
【００１７】
請求項２の発明によれば、メインフレームに対して前後方向に位置変更した後側フレームを係止部材により係止固定する構成とすることによって、ピンとクリップにより固定するものに比べて、固定作業及び固定解除作業を容易迅速に行うことができ、特に頻繁に姿勢変更を行う必要性のある寝台において有利になる。
【００１８】
請求項３の発明によれば、支持体及び補助用支持体をゴム製又は合成樹脂製の遊転ローラから構成することによって、支持体と床との接当による異音発生や磨滅による早期交換等を回避することができ、長期間において快適かつ良好に使用することができる。
【図面の簡単な説明】
【図１】全ての床を水平にした通常の状態を示す寝台の側面図である。
【図２】脚部床を上方に持ち上げた状態を示す寝台の側面図である。
【図３】脚部床を上方に持ち上げた状態を示す寝台の後側の斜視図である。
【図４】椅子に座ったリラックス姿勢をとることができる状態を示す寝台の側面図である。
【図５】中間フレームに対する後側フレームの係止固定を解除した状態を示す要部の斜視図である。
【図６】中間フレームに対する後側フレームの係止固定を行った状態を示す要部の斜視図である。
【図７】中間フレームに対する後側フレームの係止固定を行った状態を示す要部の縦断面図である。
【符号の説明】
１  接地部            ２  固定フレーム
３  リンク機構        ４  支持フレーム
５  ヘッドボード      ６  フットボード
７  背部床            ８  座部床
９  膝部床            １０  脚部床
１１  床部            １２  中間フレーム
１２Ａ，１２Ｂ  左右フレーム部
１３  前側フレーム  １４ａ，１４ｂ  貫通孔
１４  後側フレーム
１４Ａ，１４Ｂ  左右フレーム部
１５  ブラケット
１５Ａ  開口          １６  連結フレーム
１６Ｃ  中央フレーム部
１６Ａ，１６Ｂ  端部フレーム部
１７  遊転ローラ
１８  取付部材        １９Ａ  係止部
１９  係止部材        １９Ｂ  操作片
２０  フレーム        ２１  ブラケット
２２  連結用パイプ    ２３  遊転ローラ
２４  支持部材        ２５  取付部材
２６  遊転ローラ      ２７，２８  リベット
Ｘ１，Ｘ２，Ｘ３，Ｘ４  水平軸芯
【図１】
2005006729.tif 000003
【図２】
2005006729.tif 000004
【図３】
2005006729.tif 000005
【図４】
2005006729.tif 000006
【図５】
2005006729.tif 000007
【図６】
2005006729.tif 000008
【図７】
2005006729.tif 000009